(57)【特許請求の範囲】
【請求項１】
楽音信号に基づいて楽音を再生するコンピュータ装置と、前記楽音に応じて利用者に動作される信号送信装置とからなる動作判別システムであって、
前記信号送信装置は、該信号送信装置の動作を検出し該動作を示す動作信号を出力する動作検出手段と、
前記動作信号を前記コンピュータ装置へ送信する送信手段とを備え、
前記コンピュータ装置は、
前記送信手段が送信した前記動作信号を受信する受信手段と、
前記楽音に応じた利用者の動作の目標値を示す基準信号を記憶する記憶手段と、
前記受信手段が受信した前記動作信号と前記記憶手段に記憶された前記基準信号とに基づいて前記楽音に応じた利用者の動作の目標値とのずれを示す指標信号を生成する指標信号生成手段とを備える
ことを特徴とする動作判別システム。
【請求項２】
前記コンピュータ装置は、前記指標信号を記憶する指標信号記憶手段を備える
ことを特徴とする請求項１に記載の動作判別システム。
【請求項３】
前記コンピュータ装置は、前記受信手段が受信した前記動作信号に基づいて前記楽音のパラメータを制御する
ことを特徴とする請求項１または２に記載の動作判別システム。
【請求項４】
前記指標信号生成手段は、前記動作信号と前記基準信号とのレベル差を示す差分信号に基づいて前記指標信号を生成する
ことを特徴とする請求項１に記載の動作判別システム。
【請求項５】
前記指標信号生成手段は、前記差分信号の絶対値を所定期間において積分し前記指標信号を生成する
ことを特徴とする請求項４に記載の動作判別システム。
【請求項６】
前記コンピュータ装置は表示部を備え、
前記指標信号生成手段は前記指標信号を所定のグラフ形式に整形し整形結果であるグラフを前記表示部に表示させる
ことを特徴とする請求項１に記載の動作判別システム。
【請求項７】
前記記憶手段は複数の前記基準信号を記憶し、
複数の前記基準信号のうち１つを選択して前記指標信号生成手段に供給する選択手段を備える
ことを特徴とする請求項１に記載の動作判別システム。
【請求項８】
前記コンピュータ装置は、通信ネットワークを介して通信端末機と接続され前記指標信号を前記通信端末機に送信する
ことを特徴とする請求項１に記載の動作判別システム。
【請求項９】
前記通信端末機は、
前記指標信号を所定のグラフ形式に整形する整形部と
グラフを表示する端末表示部とを備える
ことを特徴とする請求項８に記載の動作判別システム。
【請求項１０】
楽音信号に基づいて楽音を再生し、
当該楽音に応じて利用者に動作される信号送信装置が該信号送信装置の動作を検出して出力する動作信号であって、該信号送信装置の動作を示す動作信号と前記楽音に反応する利用者の動作の目標値を示す基準信号とに基づいて利用者の動作の目標値とのずれを示す指標信号を出力する
ことを特徴とする動作判別方法。
【請求項１１】
コンピュータ装置を用いて
楽音信号に基づいて楽音を再生するステップと、
前記楽音に応じて利用者に動作される信号送信装置が該信号送信装置の動作を検出して出力する動作信号であって、該信号送信装置の動作を示す動作信号と前記楽音に反応する利用者の動作の目標値を示す基準信号とを比較するステップと、
前記比較結果に基づいて利用者の動作の目標値とのずれを示す指標信号を出力するステップと
を実行させるための動作判別プログラム。
【請求項１２】
請求項１１に記載の動作判別プログラムを記録した
ことを特徴とするコンピュータ装置読取り可能な記録媒体。
【発明の詳細な説明】
【０００１】
【発明の属する技術分野】
本発明は、利用者の身体状態を数値基準に照合して評価することを可能とする、状態判別システム、状態判別方法、状態判別プログラムおよび記録媒体に関わる。
【０００２】
【従来の技術】
音楽療法とは、心身の障害回復や機能改善に向けて、楽音を意図的、計画的に利用する治療技法である。この音楽療法は、近年では病院、福祉施設、高齢者施設、教育現場など広範な場面で実施されており、リハビリテーションやストレスマネジメント等にも利用されている。
【０００３】
音楽療法は、多様な症状に最も適合する楽音を施療者（以下、セラピストと称する）が選択し、この楽音に対する受療者（以下、クライアントと称する）の応答を利用して進められる。音楽療法の中には、歌唱や演奏、舞踊など、身体的動作を伴う反応を利用したものがあり、その進行にはカスタネットやマラカスなど多様な楽器が利用される。セラピストは、音楽療法の場（以下、セッションと称する）において、これら楽器を利用して動作するクライアントの反応に十分に参与、傾注、および観察する必要がある。
【０００４】
通常複数回繰り返されるセッションを通じて、セラピストは楽音に対するクライアントの反応を詳細に記録し、クライアントの状態がどのように変化したかを判断する。この判断は、例えばリハビリなどといったセッションの目的や、例えば発達障害児、高齢者といった対象クライアントのちがいにより、様々な尺度に基づくが、客観的な判断基準を要するという点では共通している。
【０００５】
【発明が解決しようとする課題】
しかしながら、従来では、上述の判断すなわちセッションの評価は、質問紙などを利用した主観的なスケールに基づくものであり、クライアントの動作に基づいて直接的に数値データを収集し、当該データに基づいてセッションを判断する方法がなかった。
【０００６】
上述の問題に鑑みて、本発明は、クライアントの身体状態を数値基準に照合して評価することを可能とする、状態判別システムおよび状態判別方法を提供することを目的とする。
【０００７】
【課題を解決するための手段】
上記の課題を解決するために、本発明の状態判別システムにあっては、楽音信号に基づいて楽音を再生するコンピュータ装置と、前記楽音に応じて利用者に動作される信号送信装置とからなる動作判別システムであって、前記信号送信装置は、該信号送信装置の動作を検出し該動作を示す動作信号を出力する動作検出手段と、前記動作信号を前記コンピュータ装置へ送信する送信手段とを備え、前記コンピュータ装置は、前記送信手段が送信した前記動作信号を受信する受信手段と、前記楽音に応じた利用者の動作の目標値を示す基準信号を記憶する記憶手段と、前記受信手段が受信した前記動作信号と前記記憶手段に記憶された前記基準信号とに基づいて前記楽音に応じた利用者の動作の目標値とのずれを示す指標信号を生成する指標信号生成手段とを備えることを特徴とする。
【０００８】
かかる動作判別システムにより、楽音を再生しつつ、当該楽音に対応するクライアントの動作を示す数値データの取得が可能である。また、基準信号を利用することで、クライアントの実際の動作は、ある基準からのズレを示す数値データとして得ることができる。
【０００９】
また、前記コンピュータ装置は、前記指標信号を記憶する指標信号記憶手段を備えることが好ましい。そうすることで、セッションにおいて多様な楽音を使用することが可能となる。
また、別の好ましい態様においては、前記コンピュータ装置は、前記受信手段が受信した前記動作信号に基づいて前記楽音のパラメータを制御することを特徴とする。
【００１０】
また、前記指標信号生成手段は、前記動作信号と前記基準信号とのレベル差を示す差分信号に基づいて前記指標信号を生成することが好ましい。そうすることで、クライアントの反応すべき動作とクライアントの実際の反応とのズレを、電気信号のレベル差として把握することが可能となる。
【００１１】
また、前記指標信号生成手段は、前記差分信号の絶対値を所定期間において積分し前記指標信号を生成することが好ましい。ある楽音に対するクライアントの動作は、目標とする動作よりも早くなったり、遅くなったり、変化が多い場合があるが、この発明にあっては、クライアントの動作が目標とする動作に先行した場合でも遅延した場合でも、目標値からのズレを、他のデータと比較可能な数値データとして得ることができる。
【００１２】
また、前記コンピュータ装置は表示部を備え、前記指標信号生成手段は前記指標信号を所定のグラフ形式に整形し整形結果であるグラフを前記表示部に表示させることが好ましい。そうすることで、クライアントの楽音への反応の推移を簡明に示すことが可能である。
【００１３】
また、前記記憶手段は複数の前記基準信号を記憶し、複数の前記基準信号のうち一つを選択して前記指標信号生成手段に供給する選択手段を備えることが好ましい。そうすることで、クライアントの反応すべき目標を示す値を柔軟に変更することが可能となる。
【００１４】
また、前記コンピュータ装置は、通信ネットワークを介して通信端末機と接続され前記指標信号を前記通信端末機に送信することが好ましい。そうすることで、セラピストとクライアントとが遠隔にあるセッションであっても、クライアントの動作を示す数値データを取得することが可能となる。
【００１５】
また、前記通信端末機は、前記指標信号を所定のグラフ形式に整形する整形部と、グラフを表示する端末表示部とを備えることが好ましい。そうすることで、セラピストとクライアントとが遠隔にあるセッションであっても、クライアントの動作を示す数値データを簡明に表示することが可能となる。
【００１６】
また、本発明の動作判別方法は、楽音信号に基づいて楽音を再生し、当該楽音に応じて利用者に動作される信号送信装置が該信号送信装置の動作を検出して出力する動作信号であって、該信号送信装置の動作を示す動作信号と前記楽音に反応する利用者の動作の目標値を示す基準信号とに基づいて利用者の動作の目標値とのずれを示す指標信号を出力することを特徴とする。
【００１７】
かかる動作判別方法により、楽音を再生しつつ、当該楽音に対応するクライアントの動作を示す数値データの取得が可能である。また、基準信号を利用することで、クライアントの実際の動作は、ある基準からのズレを示す数値データとして得ることができる。
【００１８】
また、本発明の動作判別プログラムは、コンピュータ装置を用いて楽音信号に基づいて楽音を再生するステップと、前記楽音に応じて利用者に動作される信号送信装置が該信号送信装置の動作を検出して出力する動作信号であって、該信号送信装置の動作を示す動作信号と前記楽音に反応する利用者の動作の目標値を示す基準信号とを比較するステップと、前記比較結果に基づいて利用者の動作の目標値とのずれを示す指標信号を出力するステップとを実行させるための動作判別プログラムであることを特徴とする。
【００１９】
かかる動作判別プログラムにより、楽音を再生しつつ、当該楽音に対応するクライアントの動作を示す数値データの取得が可能である。また、基準信号を利用することで、クライアントの実際の動作は、ある基準からのズレを示す数値データとして得ることができる。
【００２０】
また、本発明のコンピュータ読み取り可能な記憶媒体は、上記の動作判別プログラムを記憶していることが好ましい。そうすることで、汎用的な用途に利用される他のコンピュータ装置であっても、楽音を再生しつつ、当該楽音に対応するクライアントの動作を示す数値データの取得を行うことが可能である。
【００２１】
【発明の実施の形態】
［１．第１実施形態］
［１−１．第１実施形態の構成］
図１は第１実施形態の状態判別システムＳＹＳの構成を示す全体図である。図１に示すとおり、第１実施形態の状態判別システムＳＹＳは、複数の信号送信機１Ｔｎ（ｎ＝自然数）と、記録演奏装置１Ｍと、端末装置２と、スピーカシステム３と、を備えている。
【００２２】
＜Ａ．信号送信機１Ｔ＞
図２は、信号送信機１Ｔｋ（ｋ＝１〜ｎ）の外観構成を示す斜視図である。図２に示すように、信号送信機１Ｔは、送信機本体ＳＨと、当該送信機本体ＳＨに着脱可能なセンサ部ＳＳとを備えている。以下、特に個々の機器を区別する必要のない場合、信号送信機には１Ｔの符号を付して説明する。
【００２３】
送信機本体ＳＨとセンサ部ＳＳとは、コネクタ部ＣＮを介して固着することができるように構成されている。
図３は、コネクタ部ＣＮの形状を拡大して示した斜視図である。図３に示すように、センサ部ＳＳはピンジャックＰＪを備えており、一方、送信機本体にはプラグＰＧが備わっている。そして、ピンジャックＰＪをプラグＰＧに挿入すると、センサ部ＳＳから送信機本体ＳＨへ信号を送信できるようになる。
【００２４】
センサ部ＳＳの端部の外周壁にはネジ山が形成される一方、送信機本体ＳＨの端部の内周壁にはネジ溝が形成されている。センサ部ＳＳを図３における矢印ａの方向に、送信機本体ＳＨを図３における矢印ｂの方向にそれぞれ回転させることにより、センサ部ＳＳと送信機本体ＳＨとが固着される。したがって、例えば、利用者が信号送信機１Ｔを激しく振り回すなどの動作をとった場合でも、センサ部ＳＳと送信機本体ＳＨとが離脱することがない。
【００２５】
また、センサ部ＳＳを図３に示す矢印ｂの方向に、送信機本体ＳＨを図３に示す矢印ａの方向に、それぞれ回転させることにより、コネクタ部ＣＮが緩み、センサ部ＳＳを送信機本体ＳＨから外すことができる。
【００２６】
センサ部ＳＳと送信機本体ＳＨとは着脱可能であるため、送信機本体ＳＨには、係合可能なコネクタ部ＣＮを備えたセンサ部ＳＳであれば、どのようなセンサ部ＳＳでも装着することができる。したがって、例えばダウン症の幼児を対象とするセッションである場合、アルツハイマー症の高齢者を対象とするセッションである場合、といった場合分けに応じて、様々なセンサ部ＳＳを選択、使用することが可能である。
【００２７】
セッションに合わせたセンサ部ＳＳの選択を行った場合、どのようなセンサを選択したのか送信機本体ＳＨが識別できるようにする必要がある。そのために、送信機本体ＳＨには、スイッチ１４が備わっている。このスイッチ１４によって、送信機本体ＳＨにどのようなセンサが装着されているか指定することが可能である。このスイッチ１４には、「２」や「３」等の番号が記された複数のボタン（図示せず）が備えられており、各ボタンには、表示の数を２進数に変換したデータが対応づけられている。このスイッチ１４の選択状態に応じて、送信機本体ＳＨは、センサ部ＳＳによって検出した電気的信号の処理を変更することができるようになっている。
【００２８】
図４は、センサ部ＳＳが装着された状態での送信機本体ＳＨの電気的構成を示すブロック図である。図４に示すように、送信機本体ＳＨは、計測回路３０と、Ａ／Ｄコンバータ３１と、データ処理回路３２と、送信回路３３とを備えている。
【００２９】
図４の例では、センサ部ＳＳとして歪ゲージ１０を用いるものとする。歪ゲージ１０には、その形状が変化すると、抵抗値が変化量に応じて変化するといった性質がある。したがって、クライアントが信号送信機１Ｔを把持して、何らかの動作をとると、歪ゲージ１０の抵抗値が変化する。
【００３０】
この歪ゲージ１０の抵抗値の変化を計測するのが、計測回路３０である。計測回路３０は、抵抗１００を備えており、この抵抗１００の値と、センサ部ＳＳの抵抗１０の値と、電圧電源Ｖｃｃとから、点ｐの電圧値を計測する。ここで、抵抗１０の値をｒ、抵抗１００の値をＲとすると、点ｐの電圧値は、式（１）によって与えられる。
Ｖｃｃ×ｒ／（ｒ＋Ｒ）…（１）
この点ｐの電圧値が、動作信号ＭＳである。すなわち、動作信号ＭＳは、クライアントの動作をセンサ部ＳＳによって計測した結果として出力される信号である。計測回路３０は、動作信号ＭＳを、Ａ／Ｄコンバータ３１へと出力する。
【００３１】
Ａ／Ｄコンバータ３１は、アナログ信号をデジタル信号に変換する回路である。Ａ／Ｄコンバータ３１は、動作信号ＭＳをデジタル変換し、データビットＤＢを作成する。そして、Ａ／Ｄコンバータ３１は、データビットＤＢを、データ処理回路３２に出力する。
【００３２】
データ処理回路３２には、スイッチ１４の状態を示す信号が常時供給されている。この信号を元にしてデータ処理回路３２はスイッチビットＳＷＢを作成する。また、データ処理回路３２は、送信機本体ＳＨに一意の割り当てられた値を記憶しており、この値を元にして、識別ビットＩＢを作成する。データ処理回路３２は、スイッチビットＳＷＢ、識別ビットＩＢおよびＡ／Ｄコンバータ３１より供給されるデータビットＤＢを合成し、センサデータＳＤを作成する。
【００３３】
データ処理回路３２によって作成されたセンサデータＳＤは、例えば、図５に示すようなフォーマットとなっている。この例では、センサデータＳＤのビット幅はｍとなっており、ＭＳＢから３ビット幅にスイッチビットＳＷが格納され、ＭＳＢから４ビット目から６ビット目までに識別ビットＩＢが格納され、ＭＳＢから７ビット目以降に、データビットＤＢが格納される。
【００３４】
上述のように、スイッチビットＳＷＢは、スイッチ１４の選択状態に基づいており、このスイッチビットＳＷＢによって、データビットＤＢが何軸の動作を表現しているデータであるかを識別することができるようになる。例えば、図４の例では、センサ部ＳＳとして選択されているのは、１枚の歪ゲージ１０である。したがって、当該センサ部ＳＳの電気的変化に基づいて生成される動作信号ＭＳは、１軸の動きを示すデータとなる。この場合、スイッチビットＳＷＢとして格納されるのは、"００１"という値である。
【００３５】
本実施形態の信号送信機１Ｔはセンサ部ＳＳが着脱可能であり、セッションの目的に合わせて自由にセンサ部ＳＳを変更することができるため、センサ部ＳＳとして、２軸の動きや３軸の動き、あるいはそれ以上の軸の動きを検出するセンサを装着することも可能である。その場合に、データビットＤＢには、複数軸の動きを示すデータが格納されることとなる。
【００３６】
例えば、２軸の動きを検出するセンサ部ＳＳが装着する場合には、セラピストはスイッチ１４を操作して「２」のボタンを選択すればよい。すると、スイッチビットＳＷＢの値は"０１０"となる。その結果、データビットＤＢの値が２軸の動きを示したものであるということを、センサデータＳＤ中に示すことができるようになる。このことは、３軸以上のセンサ部ＳＳを装着した場合でも、同様である。スイッチビットＳＷＢに格納された数字に基づいて、データビットＤＢが等分割され、分割されたビットのまとまり毎に、各軸方向の動きを表現しているものとして解釈できるようになる。
【００３７】
さらに、識別ビットＩＢによって、複数のセンサデータＳＤが同時に送信された場合であっても、各センサデータＳＤが、どの信号送信機１Ｔによって送信されたデータであるのかを識別することができる。識別ビットＩＢは、各送信機本体ＳＨに一意に割り当てられた番号に対応しており、データ処理回路３２によって生成される。本実施形態では、識別ビットＩＢとして３ビット幅のデータを利用するため、８台までの信号送信機１Ｔをそれぞれ識別することができるようになっている。
【００３８】
さて、データ処理回路３２によって出力されたセンサデータＳＤは、送信回路３３に出力される。送信回路３３は、センサデータＳＤに基づいてキャリアを変調し、変調信号ＭＯＤを送信アンテナ（図示せず）を介して記録演奏装置１Ｍへと送信する。
【００３９】
＜Ｂ．記録演奏装置１Ｍ＞
次に、記録演奏装置１Ｍについて説明する。記録演奏装置１Ｍは、ＣＰＵ、ＲＡＭを備え、データの入出力が可能な、所謂コンピュータ装置である。
図６は、記録演奏装置１Ｍの電気的構成を示すブロック図である。
記録演奏装置１Ｍは、受信部２０と、制御部２１と、入力部２２と、記憶部２３と、音源部２４と、エフェクタ２５と、Ｄ／Ａコンバータ２６と、表示部２７と、外部機器インターフェイス２８とを備えている。
【００４０】
受信部２０は、受信アンテナ（図示せず）を介して信号送信機１Ｔとの間で無線通信を行い、変調信号ＭＯＤを受信する。受信部２０は、変調信号ＭＯＤを受信すると、それを復調し、センサデータＳＤを再生、出力する。
【００４１】
制御部２１は、記録演奏装置１Ｍに備わる各部を中枢的に制御して、受信部２０の出力したセンサデータＳＤに基づいた楽音の発音を可能とするとともに、利用者の身体状態の推移を示す指標データＩＤを生成する。
【００４２】
図６に示すように、制御部２１は、ＲＯＭ２１０と、ＣＰＵ２１１と、ＲＡＭ２１２と、減算器２１３とを備えている。
ＲＯＭ２１０は書き換え可能な不揮発性のメモリである。このＲＯＭ２１０には、状態判別システムＳＹＳを動作させるために必要な各種制御プログラムやデータが記憶されている。ＣＰＵ２１１は、演奏装置１Ｍに備わる各部の制御中枢として機能する。また、ＣＰＵ２１１は、ＲＯＭ２１０に記憶される各種データを参照し、センサデータＳＤを解析して楽音に付与すべき音響効果を演算する。この演算の結果が効果パラメータＰＭである。ＣＰＵ２１１の一時的な作業領域として利用されるのが、揮発性メモリのＲＡＭ２１２である。減算器２１３は、記憶部２３に記憶される基準データＳＴとセンサデータＳＤとを比較し、その差分を示す差分データＤＦを出力する。
【００４３】
基準データＳＴは、楽音に合わせてクライアントが動作した場合に、データビットＤＢに格納されるべき理想的な値を示すデータである。そして、基準データＳＴとセンサデータＳＤに含まれるデータビットＤＢの値とを比較して差分をとると、クライアントの動作が理想的な動作からどれだけ隔たっているかを示す数値を取得することができる。この値が、上述の差分データＤＦである。
【００４４】
図７は、基準データＳＴおよびデータビットＤＢの時間的な変化を示すグラフの一例である。図７の例では、基準データＳＴの示す値にやや遅れて、データビットＤＢの値が変化している。したがって、クライアントはやや音楽のテンポから遅れた動作をとっていることがわかる。この時の差分データＤＦの変化を示したグラフは、図８のようになる。
【００４５】
仮にクライアントが理想的に動作した結果、データビットＤＢの値が基準データＳＴと全く同じになったとする。すると、基準データＳＴとデータビットＤＢとの差分は常に０となるため、図８に示す例では、グラフはｘ軸上の線として描かれる。逆に、クライアントが理想的な動作とは程遠い動作を取った場合には、差分データＤＦの値は、正の値もしくは負の値に関わらず、大きな値をとることとなる。そこで、差分データＤＦによって描かれたグラフに囲まれた面積（図８における斜線部分）を算出し、この算出面積が０にどれだけ近いかを判定することで、クライアントの動作を数値的に示す指標を得ることができるようになる。この指標が、指標データＩＤである。
【００４６】
上記を換言すると、指標データＩＤは、任意の期間における差分データＤＦの絶対値を積分したものに等しい。この演算を行うためのプログラムが制御部２１のＲＯＭ２１０に記憶されており、ＣＰＵ２１１によって演算が実行される。
【００４７】
上述の基準データＳＴ、差分データＤＦ、および指標データＩＤは、記憶部２３に記憶される。記憶部２３は、例えば、ハードディスクドライブ（ＨＤＤ）、コンパクト・ディスク・リード・オンリー・メモリ（ＣＤ−ＲＯＭ）ドライブ、フロッピー（登録商標）・ディスク・ドライブ（ＦＤＤ）、光磁気（ＭＯ）ディスクドライブ、ディジタル多目的ディスク（ＤＶＤ）ドライブなどの記憶装置からなる。また、差分データＤＦが記憶部２３に記憶される際には、識別ビットＩＢに基づいて、別々のファイルとして記憶される。したがって、複数の信号送信機１Ｔから同時にセンサデータＳＤを受信した場合であっても、セッション終了後に、任意の信号送信機１Ｔに対応する指標データＩＤを参照することができるようになっている。このとき、指標データＩＤは、ＲＯＭ２１０に記憶される制御プログラムにしたがって、所定のグラフ形式に整形されて表示される。
【００４８】
また、記憶部２３には、楽音演奏に必要なデータであるＭＩＤＩデータＭＤも記憶されている。楽音演奏の際には、このＭＩＤＩデータＭＤが音源部２４に供給される。この音源部２４には予め各種の音色に対応した音源データＯＤが記憶されている。音源データＯＤは、発音を所望する楽音の音色を示す信号波形である。音源部２４は、記憶部２３より供給されるＭＩＤＩデータＭＤに基づいて音源データＯＤを配列し、楽音データＭＣを生成する。
【００４９】
そして、エフェクタ２５は、制御部２１より供給される効果パラメータＰＭに基づいて、音源部２４より供給される楽音データＭＣに所定の効果を付与する。所定効果の付与とは、具体的には、例えば楽音の音量、テンポ、タイミング、音色、効果あるいは音高を示す値を変更することである。エフェクタ２５によって音響効果を付与された楽音データＭＣは、Ｄ／Ａコンバータ２６でアナログ変換され、スピーカシステム３に供給される。スピーカシステム３は、Ｄ／Ａコンバータ２６の出力であるアナログ信号を増幅し、放音する。
【００５０】
上述のような楽音演奏およびその設定は、入力部２２を介して操作することができる。入力部２２には、「演奏開始」ボタンＢＴ１（図示せず）、「データ表示」ボタンＢＴ２（図示せず）、「設定変更」ボタンＢＴ３（図示せず）、およびテンキーＴＫ（図示せず）が備えられている。「演奏開始」ボタンＢＴ１には、記録演奏装置１Ｍに楽音の発音を指令する信号が対応付けられており、「データ表示」ボタンＢＴ２には、表示部２７に、指標データＩＤを所定の形式で表示するよう指令する信号が対応付けられている。さらに、「設定変更」ボタンＢＴ３にはＲＯＭ２１０に記憶される所定の制御プログラムの実行を指令する信号が対応付けられており、このボタンが押下されると、基準データＳＴの変更を行うプログラムが起動される。
【００５１】
したがって、「演奏開始」ボタンＢＴ１を押下すれば、演奏開始を指令する信号が記録演奏装置１ＭのシステムバスＳＢに送出され、楽音演奏を開始することができる。また、「データ表示」ボタンＢＴ２を押下すれば、指標データＩＤの表示部２７への表示を要求する信号がシステムバスＳＢに送出され、指標データＩＤに基づくグラフが表示部２７に表示される。さらに、「設定変更」ボタンＢＴ３を押下すれば、基準データＳＴの変更を行うプログラムが起動され、表示部２７に、当該プログラムの操作画面が表示される。
【００５２】
表示部２７は、所定形式に整形された指標データＩＤを表示したり、ＲＯＭ２１０に記憶される所定制御プログラムによって基準データＳＴを変更する際の画面を表示したりすることができる。利用者は、上記「設定変更」ボタンＢＴ３を押下してプログラムを起動した場合は、表示部２７に表示される画面にしたがってテンキーＴＫを操作して基準データＳＴを変更することができる。
【００５３】
外部機器インターフェイス２８は、記録演奏装置１Ｍと互換の規格に準拠した外部機器を接続するための物理的インターフェイスである。したがって、外部機器インターフェイス２８に外部機器のケーブルを接続することで、記録演奏装置１Ｍと外部機器とを併用することが可能となる。つまり、外部機器インターフェイス２８に外部機器を接続し、その機器に記憶されたＭＩＤＩデータＭＤを利用することも可能である。
【００５４】
なお、ＭＩＤＩデータＭＤに基づく楽音再生制御など、各種の処理に必要なプログラムを記憶部２３に記憶させることも可能である。この場合は、それらのプログラムは、システムバスＳＢを介してＲＡＭ２１２にロードされ、ＣＰＵ２１１を動作させることとなる。
【００５５】
［１−２．第１実施形態の動作］
図９は、状態判別システムＳＹＳの動作概念を示す説明図である。この例では、信号送信機１Ｔには１枚の歪ゲージ１０から構成された１軸のセンサ部ＳＳが装着されているものとする。
【００５６】
まず、セラピストはセッションを始めるにあたり、何らかの楽音を選択し、当該楽音を再生しなければならない。そこで、セラピストは、入力部２２を介して所望の楽音を選択し、「演奏開始」ボタンＢＴ１を押下する。すると、「演奏開始」ボタンＢＴ１に対応付けられた制御信号に基づき、制御部２１のＣＰＵ２１１が、記憶部２３より、演奏すべき楽音に対応するＭＩＤＩデータＭＤを音源部２４に供給するともに、当該ＭＩＤＩデータＭＤに対応する基準データＳＴをＲＡＭ２１２にロードする。
【００５７】
音源部２４は、供給されるＭＩＤＩデータＭＤに基づいて楽音データＭＣを生成し、当該楽音データＭＣをＤ／Ａコンバータ２６によってアナログ変換し、スピーカシステム３に供給する。すると、スピーカシステム３より楽音が放音される。ここでは、未だ制御信号送信機１Ｔより変調信号ＭＯＤを受信していないため、放音される楽音は効果付与されていない。
【００５８】
次に、セッションに用いられる楽音がセラピストおよびクライアントに聴取可能となると、クライアントにもセラピストにも、音楽療法のセッションが開始したのだということがわかる。この楽音に合わせてクライアントは、予めセラピストのセッション計画に基づく各種の動作を取ることとなる。例えば、クライアントが演奏される楽音に合わせて踊るまたは指揮動作を取るといった身体運動を開始したとする。すると、クライアントの動きがクライアントの把持する信号送信機１Ｔによって検知される。
【００５９】
クライアントの動作は、まず、センサ部ＳＳに内蔵される歪ゲージ１０の抵抗値ｒの変化にしたがって、計測回路３０によって動作信号ＭＳとして生成される。動作信号ＭＳはＡ／Ｄコンバータ３１によってデジタル変換され、データビットＤＢとなる。このデータビットＤＢが、データ処理回路３２によって、クライアントの把持する信号送信機１Ｔに対応した識別ビットＩＢおよびスイッチ１４の状態に基づくスイッチビットＳＷＢと合成され、センサデータＳＤとなる。送信回路３３は、所定周波数のキャリアをセンサデータＳＤに基づいて変調し、図示せぬ送信アンテナを介して記録演奏装置１Ｍに送信する。上記の動作が、状態判別システムＳＹＳが動作中に繰り返される。
【００６０】
上述のようにして、クライアントの動作は逐次データ変換され、変調信号ＭＯＤとして、記録演奏装置１Ｍへと送信されることとなる。したがって、クライアントの動きは全て、記録演奏装置１Ｍへと送信されつづけることとなり、楽音に応ずるクライアントの動きを捉えそこなうことはない。また、セッションに複数のクライアントが参加している場合であっても、各クライアントの把持する信号送信機１Ｔのそれぞれが、変調信号ＭＯＤを記録演奏装置１Ｍに送信する。したがって、各クライアント全ての動作を捉えることが可能である。
【００６１】
さて、記録演奏装置１Ｍ側では、図示せぬ受信アンテナを介して、変調信号ＭＯＤが受信部２０に受信される。受信部２０では、当該変調信号ＭＯＤを復調してセンサデータＳＤを再生し、システムバスＳＢに送出する。すると、制御部２１のＣＰＵ２１１は、センサデータＳＤの受信を検知し、センサデータＳＤの解析を開始する。
【００６２】
ＣＰＵ２１１は、スイッチビットＳＷＢに基づいてデータビットＤＢに何軸の動きを示すデータが格納されているかを識別した後、データビットＤＢを取得する。このとき、ＣＰＵ２１１は、識別ビットＩＢに基づいて、現在処理している信号がどの信号送信機１Ｔより送信されたものであるかを識別する。そして、ＣＰＵ２１１は、再生されたデータビットＤＢを減算器２１３に供給するとともに、データビットＤＢに基づいて効果パラメータＰＭを算出し、当該効果パラメータＰＭを、エフェクタ２５に向けて逐次供給する。
【００６３】
ここで、ＣＰＵ２１１は、複数のセンサデータＳＤを信号送信機１Ｔより受信した場合、最も基準データＳＴに近似したデータを含むセンサデータＳＤを選択し、そのデータにしたがって、効果パラメータＰＭを算出する。
【００６４】
エフェクタ２５では、ＣＰＵ２１１より効果パラメータＰＭを供給されると、そのデータの内容に基づいて、音源部２４より供給されている楽音データＭＣの値を変化させ、音響効果を付与する。具体的には、楽音データＭＣのテンポ、音程、音質などを示す値を変化させる。そして、エフェクタ２５は、音響効果を付与された楽音データＭＣをＤ／Ａコンバータ２６に供給し、Ｄ／Ａコンバータ２６は、楽音データＭＣをアナログ変換してスピーカシステム３に出力する。
【００６５】
上述のように処理を行うことによって、スピーカシステム３からは、クライアントの動きに基づく音響効果を付与された楽音が放音されることとなり、音の変化がセラピストにもクライアントにも識別されるようになる。したがって、本実施形態の状態判別システムＳＹＳにあっては、演奏者のテンポやダイナミクスがどれほど揃っているか、また、音程がどれほどずれているかを、クライアントやセラピストが感覚的に識別できる。
【００６６】
さらに、ＲＯＭ２１０の所定の制御プログラムを変更することにより、上記の演奏者のテンポやダイナミクスの一致度、あるいは、ある音程が一定の閾値内に収まっているか否か等を判断して、演奏を進めたり止めたりすることも可能であり、音楽療法セッションの対象および目的に合わせて、効果的に楽音を制御することが可能である。
【００６７】
さて、上記においてＣＰＵ２１１よりデータビットＤＢを供給された減算器２１３は、データビットＤＢの値を、ＲＡＭ２１２にロードされている基準データＳＴの値から減算して差分データＤＦを生成する。そして、差分データＤＦを元にしてＣＰＵ２１１が指標データＩＤを生成する。ＣＰＵ２１１は、指標データＩＤを記憶部２３に記憶する。このとき、指標データＩＤは、各指標データＩＤに対応する識別ビットＩＢ別に、別ファイルとして記憶部２３に記憶される。
【００６８】
そして、ＣＰＵ２１１は、指標データＩＤを所定の制御プログラムにしたがってグラフ形式に変換し、それを表示部２７に表示することができる。したがって、セラピストは、表示部２７に表示されたグラフによって各クライアントの動作を数値的視覚的に確認できる。この場合、セラピストは入力部２２に備わる「データ表示」ボタンＢＴ２を押下すればよい。すると、「データ表示」ボタンＢＴ２に対応付けられた制御信号によって所定の制御プログラムが起動され、ＣＰＵ２１１によってグラフが表示部２７に表示される。
【００６９】
くわえて、表示部２７には、楽音放音中には現在のクライアントの動きを示すグラフが表示され、楽音停止中には、記憶部２７における指標データＩＤを記憶したファイルに基づいてグラフが表示される。したがって、セラピストは、音楽療法セッション中にあっては進行中のセッションに参加するクライアントの動作を示すグラフを確認することができ、セッション終了後にあっては、所望のクライアントが終了したセッション中にとった動作を示すグラフを確認することができる。
【００７０】
したがって、本実施形態の状態判別システムＳＹＳによれば、セラピストは、セッション中およびセッション終了後など、いつでも、クライアントの動作をグラフで確認することができ、クライアントの動きを、より具体的、客観的、数値的に捉えることができるようになる。つまり、セラピストは、従来のセッション判定法に優れて数値的な基準を導入する事ができるようになる。
【００７１】
［１−３．第１実施形態の効果］
以上、説明したように、第１実施形態の状態判別システムＳＹＳでは、コネクタ部ＣＮの形状さえ係合すれば、どのようなセンサ部ＳＳも使用することが可能であるため、音楽療法において、セッションに使用する楽音へのクライアントの身体表現を最も計測しやすいように、信号送信機１Ｔをカスタマイズできる。その結果、対象クライアントに合わせた身体表現の数値情報を収集することが可能となり、セラピストに有効な判断基準を提供することが可能となる。
【００７２】
また、第１実施形態の状態判別システムＳＹＳでは、クライアントの身体表現を判断する基準は、記録演奏装置１Ｍの入力部２２を介して、セラピストが自由に入力することができるようになっている。したがって、セラピストは、自らのセッションにおいて最も望ましいと考えられる判断基準にしたがってクライアントの身体表現を判断することが可能である。
【００７３】
さらに、第１実施形態の状態判別システムＳＹＳでは、従来セラピストの主観的判断のみで観察記述せざるを得なかった音楽療法の効果に、一定の数値的基準を導入し、記録参照および診断、さらに以後の治療プログラム作成の際などに、効果的な参照基準を提供することができるようになる。そして、システムの設定はすべてセッション開始前に設定することができるため、実際のセッション中においては、セラピストのクライアントに対する集中を妨げることはない。
【００７４】
くわえて、第１実施形態の状態判別システムＳＹＳでは、セラピストにとって必要な設定は、すべて実際のセッション以前に行うことができ、クライアントの身体表現の記録は、記憶部２３に記憶されるため、セッション終了後に確認することが可能である。したがって、セラピストは、セッション中はクライアントに身体表現に全身でコミットメントし、セッション終了後にその体験を数値によって確認することも可能となる。すなわち、第１実施形態の状態判別システムＳＹＳは、セラピストにとっての教育的効果もまた備えている。
【００７５】
［２．第２実施形態］
［２−１．第２実施形態の構成］
図１０は、第２実施形態の状態判別システムＳＹＳ'の構成を示す全体図である。図１０に示すように、第２実施形態の状態判別システムＳＹＳ'は、記録演奏装置１Ｍの代わりに記録演奏装置１Ｍ'を備えており、記録演奏装置１Ｍ'および端末装置２は、ネットワークＮＥＴを介して接続される。記録演奏装置１Ｍ'および端末装置２は、ネットワークＮＥＴを介してデータ通信が可能である。
【００７６】
ネットワークＮＥＴとしては、例えば病院や老人ホームといった施設内に敷設されたＬＡＮ（Local Area Network）でもよいし、インターネットなどの広域通信ネットワークでも構わない。また、第２実施形態の端末装置２には、状態判別システムＳＹＳ'の記憶部２３に記憶されているものと同様のフォーマットで、ＭＩＤＩデータＭＤが記憶されている。
【００７７】
次に、第２実施形態の記録演奏装置１Ｍ'の詳細構成を説明する。図１１は、第２実施形態の記録演奏装置１Ｍ'の電気的構成を示すブロック図である。図１１に示すように、第２実施形態の記録演奏装置１Ｍ'は、通信インターフェイス２９を備えることを除いて、第１実施形態の記録演奏装置１Ｍと同様である。
【００７８】
通信インターフェイス２９は、ネットワークＮＥＴを介した通信の際のデータ入出力のポートとして用いられ、例えばＴＣＰ／ＩＰなどの所定プロトコルにしたがってデータ通信を行う。
【００７９】
第２実施形態の記録演奏装置１Ｍ'の制御部２１においては、ＲＯＭ２１０に、センサデータＳＤと基準データＳＴとの差分演算の手順を示す差分演算プログラムＤＰが格納されている。この差分演算プログラムＤＰにしたがって、ＣＰＵ２１１はセンサデータＳＤとＲＯＭ２１０に記憶される基準データＳＴとを比較し、差分データＤＦを生成する。
【００８０】
［２−２．第２実施形態の動作］
図１２は、第２実施形態の記録演奏装置１Ｍ'および端末装置２の動作を示すシーケンス図である。
まず、クライアントの動作を測定する場合には、第１実施形態と同様に、クライアントが信号送信機１Ｔを把持した状態で音楽に合わせて動作し、記録演奏装置１Ｍ'にセンサデータＳＤを送出する。すると、記録演奏装置１Ｍ'は、センサデータＳＤを解析して差分データＤＦを生成し、当該差分データＤＦに基づいて指標データＩＤを作成すると、指標データＩＤを記憶部２３に記憶する（ステップＳ１０１からＳ１０３）。
【００８１】
その後、音楽療法セッションが終了すると、記録演奏装置１Ｍ'は、記憶した差分データＤＦを、ネットワークＮＥＴを介して、端末装置２に送信する（ステップＳ１０４）。端末装置２には、表示装置（図示せず）に、転送された指標データＩＤが所定形式のグラフに整形されて表示され、セラピストは、結果を一見して知ることができる。
【００８２】
ここで、より適切な基準でクライアントの動作を判断する必要が生じ、記録演奏装置１Ｍ'に記録される基準データＳＴを変更することになったとする（ステップＳ１０５においてＮｏ）。この場合、セラピストは、端末装置２より、基準データＳＴを設定し、記録演奏装置１Ｍ'に送信する（ステップＳ１０７）。
【００８３】
すると、記録演奏装置１Ｍ'は、記憶部２３に記録された基準データＳＴを、受信した基準データＳＴに変更する（ステップＳ１０８）。基準データＳＴを変更した後、記録演奏装置１Ｍ'は、変更終了を示す信号を、端末装置２に送信する（ステップＳ１０９）。この変更終了を示す信号によって、端末装置２側から、記録演奏装置１Ｍ'に記憶される基準データＳＴが変更されたことがわかる。
【００８４】
さらに、記録演奏装置１Ｍ'に記録されるＭＩＤＩデータＭＤを追加、変更したい場合、端末装置２より、所望のＭＩＤＩデータＭＤの有無を確認するよう要求する信号を送信する（ステップＳ１１１）。この要求信号を受信すると、記録演奏装置１Ｍ'は、まず、要求されたＭＩＤＩデータＭＤが記憶部２３に記憶されているか否かを判別し、要求されたＭＩＤＩデータＭＤが記憶部２３に存在しない場合には（ステップＳ１１２においてＮｏ）、ＭＩＤＩデータＭＤの転送を要求する信号を、端末装置２に向けて送信する（ステップＳ１１３）。この転送要求を受信した端末装置２は、ＭＩＤＩデータＭＤと、当該ＭＩＤＩデータＭＤに対応する基準データＳＴとを、記録演奏装置１Ｍ'に向けて送信する（ステップＳ１１４）。
【００８５】
記録演奏装置１Ｍ'は、端末装置２よりＭＩＤＩデータＭＤおよび基準データＳＴを受信すると、当該ＭＩＤＩデータＭＤおよび基準データＳＴを記憶部２３の所定領域に記憶する。そして、制御部２１のＲＯＭ２１０に記憶される制御用プログラムデータに変更を加え、受信したＭＩＤＩデータＭＤに基づく楽音が、音楽療法セッションにおいて再生されるようにする（ステップＳ１１５）。プログラムデータの変更が終了すると、記録演奏装置１Ｍ'は、変更終了を示す信号を、端末装置２に向けて送信する（ステップＳ１１６）。上記変更終了を示す信号を受信することで、端末装置２側から記録演奏装置１Ｍ'の設定が終了したことを識別できる。
【００８６】
以上の動作によって、記録演奏装置１Ｍ'の設定は変更される。その後、新しく音楽療法セッションを開始する場合には、処理はステップＳ１０２に戻る。セッションを行わない場合には、処理は終了する。
【００８７】
また、ステップＳ１０６以降の測定条件の変更は、セラピストが記録演奏装置１Ｍ'のデータ収集条件を変更する必要があると認める場合には、いつでも行うことができる。また、同様に、予め記録演奏装置１Ｍ'に記憶されていないＭＩＤＩデータＭＤを記録演奏装置１Ｍ'に送信したい場合、いつでも端末装置２から、ＭＩＤＩデータＭＤを送信することができる。
【００８８】
なお、記録演奏装置１Ｍ'では、基準データＳＴを変更した場合に、変更前のデータと変更後のデータを共に記憶している。したがって、基準データＳＴが変更された場合であっても、もとのデータ内容に復元することが可能である。くわえて、基準データＳＴを複数回数変更した場合には、それぞれの変更を記憶したデータが記録演奏装置１Ｍ'に記憶される。したがって、ある基準データＳＴに基づいて複数回の変更をかけ、任意のセッションに最も適合すると考えられる基準データＳＴを選択することも可能である。
【００８９】
［２−３．第２実施形態の効果］
以上、説明したように、本実施形態の状態判別システムＳＹＳ'は、遠隔地に設定されている場合であっても、その発音内容などの設定を変更したり、状態判別システムＳＹＳ'に記憶されていないＭＩＤＩデータＭＤを送信したりできる。したがって、第２実施形態の状態判別システムＳＹＳ'を利用すれば、セラピストは、例えば遠隔地に居るクライアントの行ったセッションであっても、すぐにそのデータを取得することができ、また、当該クライアントに合った設定および楽音に変更する必要が生じた場合であっても、これに迅速に対応できる。
【００９０】
また、音楽療法は、例えばターミナル・ケア（医師より余命６ヶ月を宣告された患者の尊厳を中心に据えた看護）の場面においても使用される。このような患者は在宅で看護を受けている場合もあり、看護に必要な諸設備の設定や情報を整備することは困難な場合もある。しかし、第２実施形態の状態判別システムＳＹＳ'によれば、設定やデータ転送をネットワークＮＥＴを介して端末装置２からおこなうことができるため、効果的である。
【００９１】
＜変形例＞
本発明は、上述した第１および第２実施形態の態様に限られるものではなく、例えば、以下の各種の変形が可能である。
【００９２】
（１）第１および第２実施形態においては、信号送信機１Ｔに装着するセンサ部ＳＳは、着脱可能なものとして説明したが、例えば、セラピストが、使用するテンポやリズムの極めて類似した楽音のみを利用する、ということが予め分かっている場合には、信号送信機１Ｔは、セラピストの目論む効果に最も適合するセンサ部ＳＳが送信機本体ＳＨに固着されたものであってもよい。
【００９３】
（２）第１および第２実施形態において、送信機本体ＳＨに設けられたスイッチ１４の設定をセラピストもしくはクライアントが確認することはできなかったが、送信機本体ＳＨに、例えば、ＬＥＤなどで構成された表示パネルを設置し、設定モードを容易に確認できる構成にしてもよい。
【００９４】
（３）第１および第２実施形態において、計測回路３０およびＡ／Ｄコンバータ３１を、センサ部ＳＳ側に設置してもよい。この場合、計測回路３０およびＡ／Ｄコンバータ３１を動作させるために電源電圧および動作クロックを供給することが必要なため、電源電圧および動作クロックを供給するケーブルを、送信機本体ＳＨからセンサ部ＳＳに接続する必要がある。
【００９５】
（４）第１および第２実施形態において、センサデータＳＤ中の識別ビット幅は３ビットとされ、８台までの信号送信機１Ｔを同時使用できる態様で説明を行ったが、この識別ビットＩＢを４ビット以上とすることで、さらに多数の信号送信機１Ｔを同時使用するようにしてもよい。例えば、識別ビットＩＢを４ビットとすると、第１および第２実施形態において同時使用することのできる信号送信機１Ｔは１６台となる。
【００９６】
（５）第１および第２実施形態において、効果パラメータＰＭの生成は、ＲＯＭ２１０に記憶される所定の制御プログラムにしたがって、ＣＰＵ２１１によって行われる態様をとって説明を行ったが、ＲＯＭ２１０に記憶される制御プログラムを変更して、効果パラメータＰＭの生成方法を変更してもよい。たとえば、任意の識別ビットＩＢが含まれるセンサデータＳＤにのみ基づいて効果パラメータＰＭを作成し、この効果パラメータＰＭにしたがって楽音を制御しても良いし、また、識別ビットＩＢの値を基準として複数の信号送信機１Ｔをグループ化し、このグループ別に効果パラメータＰＭの平均値を算出し、その結果に基づいて楽音データＭＣに音響効果を付与してもよい。
【００９７】
（６）第１および第２実施形態において、複数のセンサデータＳＤを受信する場合に、記録演奏システム１Ｍおよび１Ｍ'が、最も基準データＳＴに近似するセンサデータＳＤを選択し、そのデータにしたがって効果パラメータＰＭを生成、楽音制御を行う態様で説明を行ったが、効果パラメータＰＭの生成方法は、受信するすべてのセンサデータＳＤの平均値を算出し、その平均値にしたがうという方法でもよい。
【００９８】
（７）第１および第２実施形態においては、指標データＩＤに基づいてクライアントの動作を数値的に判断する態様をとって説明を行ったが、記憶部２３に記憶される差分データＤＦを任意の統計的手法にしたがって分析することで、クライアントの動作傾向や、時系列に配列された各セッションにおいてのクライアントの状態推移を把握する態様をとってもよい。この結果は、セッションの進行方針についての有効な判断基準として活用することができる。
【００９９】
（８）また、第１および第２実施形態においては、基準データＳＴを利用して指標データＩＢを生成する態様で説明を行ったが、基準データＳＴの代わりに、セラピストなどの動作を計測したセンサデータＳＤに含まれるデータビットＤＢを利用する態様を取っても良い。この場合、基準となるデータビットＤＢとクライアントの動作に基づくデータビットＤＢとの差分演算によって差分データＤＦを作成し、この差分データＤＦに基づいて指標データＩＤを生成すればよい。
【０１００】
（９）第１および第２実施形態においては、センサ部ＳＳとして、人間の動作を検出してクライアントの動作を測定する動作センサを利用する態様をとって説明したが、信号送信機１Ｔに装着するセンサ部ＳＳとしては、クライアントの脳波、脈拍（脈波）、ＧＳＲ（galvanic skin response＝電気皮膚反応）、呼吸、瞳の動きなどを計測して得られる状態信号を出力する、いわゆる生体情報センサであってもよい。この場合、クライアントが音楽に合わせて、例えば、踊ったり指揮動作を取ったりする、いわゆる「能動的音楽療法」に対してのみならず、記録演奏装置１Ｍによって発音される音楽をクライアントに傾聴させてリラックス誘導を行う、いわゆる「受動的音楽療法」に対しても、本実施形態の状態判別システムＳＹＳおよびＳＹＳ'を使用することが可能である。
【０１０１】
【発明の効果】
以上、説明したように、本発明の状態判別システムによれば、対象クライアントの非言語的な表現を効果的に数値化、収集することが可能である。したがって、セラピストがセッションの効果を判断する際に、有効な基準を提供することが可能である。
【０１０２】
また、本発明の状態判別システムでは、対象クライアントおよびその状態に合わせて多様なセンサを利用することができ、セッションに利用する楽音を最も数値化しやすいように、信号送信機１Ｔをカスタマイズすることができる。その結果、クライアントの非言語的表現を効果的に数値化、収集することが可能となり、セラピストに有効な判断基準を提供することが可能となる。
【０１０３】
また、本発明の状態判別システムでは、クライアントの身体表現を判断する基準は、記録演奏装置の入力部から自由に変更することが可能である。したがって、セラピストは自らのセッションにおいて最も望ましいと考えられる判断基準で計測を行うことができる。
【０１０４】
さらに、計測結果は記憶部に記憶することができるため、このデータをセッション後に自由に参照することができる。その結果、セラピストは、必要な設定は、すべて実際のセッション以前に行うことができるため、セッション中、セラピストはクライアントに十分に関わることができ、従来のセッションの質を落とすことはない。
【０１０５】
また、計測結果が保存されることから、数値化されたクライアントの身体状況は、特定の手法に基づいて分析することができ、セッションによるクライアントの変化を明瞭に捉えることが可能である。クライアントの身体状態の変化をセッション後に参照できるということは、セッション中にセラピストの気付くことのできなかった変化を基準にしたがって参照することができるということを意味するため、この数値の変化をセッション中の体験と照合すれば、セッション経験の少ないセラピストにとっての教育効果が生ずる。
【０１０６】
さらに、本実施形態の状態判別システムは、通信ネットワークを経由して設定を自由に変更することができるため、例えば、遠隔地に居住するクライアントや在宅で看護を受けるクライアントに対してもセッションを試みることが可能であり、セラピストがクライアントに関わることができない状況においても、セッション自体の効果を判別することが可能である。
【図面の簡単な説明】
【図１】  状態判別システムＳＹＳのシステム構成を示す全体図である。
【図２】  信号送信機１Ｔの外観構成を示す斜視図である。
【図３】  コネクタ部ＣＮの形状を拡大して示した斜視図である。
【図４】  送信機本体ＳＨの電気的構成を示すブロック図である。
【図５】  センサデータＳＤのフォーマットを示す概念図である。
【図６】  記録演奏装置１Ｍの電気的構成を示すブロック図である。
【図７】  基準データＳＴおよびデータビットＤＢの時間的な変化を示すグラフの一例である。
【図８】  差分データＤＦの変化を示したグラフである。
【図９】  状態判別システムＳＹＳの動作概念を示す説明図である。
【図１０】  状態判別システムＳＹＳ'の構成を示す全体図である。
【図１１】  記録演奏装置１Ｍ'の電気的構成を示すブロック図である。
【図１２】  記録演奏装置１Ｍ'および端末装置２の動作を示すシーケンス図である。
【符号の説明】
ＳＹＳ，ＳＹＳ’…状態判別システム、１Ｔ…信号送信機、１Ｍ，１Ｍ’…記録演奏装置、２…通信端末、２０…受信部、２１…制御部、２３…記憶部、２７…表示部、ＳＴ…基準データ、ＤＢ…データビット、ＤＦ…差分データ、ＩＤ…指標データ、ＮＥＴ…ネットワーク。
【図１】
0003783592.tif 000002
【図２】
0003783592.tif 000003
【図３】
0003783592.tif 000004
【図４】
0003783592.tif 000005
【図５】
0003783592.tif 000006
【図６】
0003783592.tif 000007
【図７】
0003783592.tif 000008
【図８】
0003783592.tif 000009
【図９】
0003783592.tif 000010
【図１０】
0003783592.tif 000011
【図１１】
0003783592.tif 000012
【図１２】
0003783592.tif 000013